(57)【要約】【課題】  測量機の視準対象となる軸状部材を任意の状態に保持する作業を容易にすること。【解決手段】  標尺１６に、水平面に対する標尺１６の傾斜角を検出する傾斜センサ３４、傾斜センサ３４の検出結果を表示画面上に表示する表示ユニット２０を備えた表示器本体１２をバンド１４を介して標尺１６に装着し、角度設定ボタン２８の操作により傾斜角を１５度に設定し、標尺１６の軸方向一端側を測点に設置し、測点における標尺１６の傾きを調整すると、傾斜センサ３４の検出による傾斜角が表示ユニット２０の画面上に表示され、表示された傾斜角が１５度となるように標尺１６の傾きを調整することで、標尺１６の傾きを１５度にするための設置作業を容易に行うことができる。【選択図】        図２
2006126102.tif 000002
【特許請求の範囲】
【請求項１】
測量機の視準対象となる軸状部材に装着されて、基準面に対する前記軸状部材の傾斜角を検出する傾斜センサと、前記傾斜センサの検出結果を表示画面上に表示する表示手段とを備えてなる測量用表示器。
【請求項２】
測量機の視準対象となる軸状部材に装着されて、基準面に対する前記軸状部材の傾斜角を検出する傾斜センサと、前記傾斜センサの検出結果と設定値との差を演算する演算手段と、前記演算手段の演算結果を表示画面上に表示する表示手段とを備えてなる測量用表示器。
【請求項３】
請求項１または２に記載の測量用表示器において、前記測量機からの信号を受信する受信手段と、前記受信手段が測量完了信号を受信したときに測量完了を報知する報知手段とを備えてなることを特徴とする測量用表示器。
【請求項４】
請求項１、２または３のうちいずれか１項に記載の測量用表示器において、前記表示手段の表示画面を照明する照明手段を備えてなることを特徴とする測量用表示器。
【請求項５】
請求項１、２、３または４のうちいずれか１項に記載の測量用表示器において、前記傾斜センサの検出結果が設定値に一定時間以上保持されたときに、設置完了信号を前記測量機に送信する送信手段を備えてなることを特徴とする測量用表示器。
【請求項６】
請求項１、２、３、４または５のうちいずれか１項に記載の測量用表示器において、走査光を出射する走査光出射手段を備えてなることを特徴とする測量用表示器。
【請求項７】
請求項１、２、３、４、５または６のうちいずれか１項に記載の測量用表示器が装着された軸状部材の軸方向一端側を測点に設置し、前記測点における前記軸状部材の傾きを調整し、前記測点における前記軸状部材の傾きが前記表示画面上の指定の値に一致したことを条件に、前記軸状部材を前記測量機で視準して、前記測点における高さを測量することを特徴する測量用表示器を用いた測量方法。
【請求項８】
請求項６に記載の測量用表示器が装着された軸状部材の軸方向一端側を測点に設置し、前記測点における前記軸状部材の傾きを調整し、前記測点における前記軸状部材の傾きが前記表示画面上の指定の値に一致したことを条件に、前記走査光出射手段から自動視準装置を備えた測量機に向けて走査光を出射し、前記自動視準装置を備えた測量機で前記軸状部材を自動視準して、前記測点における高さを測量することを特徴する測量用表示器を用いた測量方法。
【発明の詳細な説明】
【技術分野】
【０００１】
本発明は、測量用表示器に係り、特に、測量機の視準対象となる標尺などの軸状部材に装着されて、軸状部材の設置状態を表示するように構成された測量用表示器とそれを用いた測量方法に関する。
【背景技術】
【０００２】
従来、セオドライト、レーザレベル、トータルステーションなどの測量機を用いて測量を行なうに際して、測点に標尺を設置し、標尺に固定された円形気泡管を見ながら標尺の傾きを調整するとともに、標尺を鉛直（重力方向）となるように保持し、標尺が鉛直になったときに、その旨を標尺を保持する作業者が測量機側の作業者に知らせ、測量機側の作業者が望遠鏡で標尺を視準して標尺の目盛りを読み取ることが行なわれている。円形気泡管は標尺が水平状態にあるか否かを検出するために用いられており、この円形気泡管には中心を示す表示線（丸印）が表示されている。しかし、円形気泡管の中の気泡の大きさは気温等の環境条件によって大きさが変化するので、環境条件によっては、表示線の中心に気泡を合わせることが困難となる。また、電子レベル等を用いて高度な水準測量を行なう場合、標尺を保持する作業者が、読み取り値として、最大値または最小値を得るために、電子レベル等の目標物に対して標尺を前後に振って鉛直出しを行っている。この場合、標尺を保持する作業者は、円形気泡管を見ながらの作業となるため、標尺を水平状態を保持しながら、電子レベル等の目標物に対して標尺を前後に振る作業は非常に難しく、標尺を鉛直に設置するのに熟練が必要で時間がかかっている。
【０００３】
そこで、図７に示すように、標尺本体１にフレームを着脱自在に取り付けるとともに、フレームに鉛直検知出力装置２を設置し、作業者が標尺本体１を測点Ｐ１に設置して、標尺本体１が鉛直状態になったときに、標尺本体１のランプ３を点灯し、このランプ３の点灯による光信号ＬＳを電子レベルユニット４に送出するようにしたものが提案された（特許文献１参照）。
【０００４】
【特許文献１】特開２０００−８１３３３号公報  （第４頁〜第６頁、図１）
【発明の開示】
【発明が解決しようとする課題】
【０００５】
従来技術においては、標尺本体１に鉛直検知出力装置２を設け、標尺本体１が鉛直状態になったときにランプ３を点灯するようにしているため、標尺本体１を設置するときに標尺本体１を鉛直状態に保持することが容易になる。
【０００６】
しかし、従来技術においては、標尺本体１を鉛直方向に設置することを前提としているので、図８に示すように、標尺本体１を階段５に設置して、電子レベル６で標尺本体１との距離を測量するときには、標尺本体１と電子レベル６との高度差が大きくなる程、長い標尺本体１が必要となり、高度差によっては長い標尺本体１を用意することができず、測量が不可能になることがある。また階段５の上部側に天井などが設けられているときには、標尺本体１として丈の長いものを用いることができなくなる。
【０００７】
また、図９に示すように、勾配θの傾斜地７の施工を管理するに際して、傾斜地７に標尺本体１を設置して、この標尺本体１を鉛直状態に保持し、測量機８から標尺本体１を視準したときの高さを求めるにも、標尺本体１が傾斜地７の測点に鉛直（重力方向）になって設置されているので、測量機８で標尺本体１を視準したときの目盛りの値をそのまま高さとすることができず、傾斜補正を行なうことが余儀なくされる。しかも、傾斜地７で標尺本体１を鉛直状態に保持することは困難な作業となる。
【０００８】
本発明は、前記従来技術の課題に鑑みて為されたものであり、その目的は、測量機の視準対象となる軸状部材を傾斜面に直角にして傾斜センサで傾斜角を検出することにより設置する作業を容易にすることにある。
【課題を解決するための手段】
【０００９】
前記目的を達成するために、請求項１に係る測量用表示器において、測量機の視準対象となる軸状部材に装着されて、基準面に対する前記軸状部材の傾斜角を検出する傾斜センサと、前記傾斜センサの検出結果を表示画面上に表示する表示手段とを備えて構成した。
【００１０】
（作用）軸状部材の軸方向一端側が測点に設置され、測点における軸状部材の傾きが調整されると、測点における軸状部材の傾きが傾斜センサによって検出され、この検出結果が表示画面上に表示されるため、表示画面上の傾斜角の値が指定の値となるように軸状部材を保持することで、軸状部材を測点に設置するための設置作業を容易に行なうことができる。
【００１１】
請求項２に係る測量用表示器においては、測量機の視準対象となる軸状部材に装着されて、基準面に対する前記軸状部材の傾斜角を検出する傾斜センサと、前記傾斜センサの検出結果と設定値との差を演算する演算手段と、前記演算手段の演算結果を表示画面上に表示する表示手段とを備えて構成した。
【００１２】
（作用）軸状部材の軸方向一端側が測点に設置され、測点における軸状部材の傾きが調整されると、測点における軸状部材の傾きが傾斜センサによって検出され、この検出結果と設定値との差が演算手段によって演算され、この演算結果が表示画面上に表示されるため、表示画面上の値が指定の値になるように軸状部材を保持することで、軸状部材を測点に設置するための設置作用を容易に行なうことができる。
【００１３】
請求項３に係る測量用表示器においては、請求項１または２に記載の測量用表示器において、前記測量機からの信号を受信する受信手段と、前記受信手段が測量完了信号を受信したときに測量完了を報知する報知手段とを備えて構成した。
【００１４】
（作用）測量機からの信号を受信する受信手段が測量完了信号を受信したときには測量完了が報知されるため、標尺を保持する作業者は、測点における測量が完了したとして、軸状部材を他の測点に移動させることができ、測量作業を迅速に行うことが可能になる。
【００１５】
請求項４に係る測量用表示器においては、請求項１、２または３のうちいずれか１項に記載の測量用表示器において、前記表示手段の表示画面を照明する照明手段を備えて構成した。
【００１６】
（作用）表示手段の表示画面は照明手段によって照明されるため、作業者は、夜間でも表示画面上の値等を見ることができ、軸状部材の設置作業を容易に行うことができる。
【００１７】
請求項５に係る測量用表示器においては、請求項１、２、３または４のうちいずれか１項に記載の測量用表示器において、前記傾斜センサの検出結果が設定値に一定時間以上保持されたときに、設置完了信号を前記測量機に送信する送信手段を備えて構成した。
【００１８】
（作用）傾斜センサの検出結果が設定値に一定時間以上保持されたときに、測量機に対して設置完了信号が送信されるので、軸状部材の設置完了を測量機側の作業者に知らせたり、自動測量が可能な測量機に対して、設置完了信号によって自動測量を開始させることができる。
【００１９】
請求項６に係る測量用表示器においては、請求項１、２、３、４または５のうちいずれか１項に記載の測量用表示器において、走査光を出射する走査光出射手段を備えて構成した。
【００２０】
（作用）測量機が自動視準装置を備えているときに、走査光出射手段から測量機に走査光を出射することで、測量機を測量用表示器の方向に自動視準させることができる。
【００２１】
請求項７に係る測量方法においては、請求項１、２、３、４、５または６のうちいずれか１項に記載の測量用表示器が装着された軸状部材の軸方向一端側を測点に設置し、前記測点における前記軸状部材の傾きを調整し、前記測点における前記軸状部材の傾きが前記表示画面上の指定の値に一致したことを条件に、前記軸状部材を前記測量機で視準して、前記測点における高さを測量する構成とした。
【００２２】
（作用）測点における高さを測量するに際して、測量用表示器が装着された軸状部材の軸方向一端側を測点に設置し、測点における軸状部材の傾きが表示画面上の指定の値に一致するように、軸状部材の傾きを調整するだけで測量を行うことができるので、軸状部材を測点に設置するための設置作業を容易に行なうことができる。
【００２３】
請求項８に係る測量方法においては、請求項６に記載の測量用表示器が装着された軸状部材の軸方向一端側を測点に設置し、前記測点における前記軸状部材の傾きを調整し、前記測点における前記軸状部材の傾きが前記表示画面上の指定の値に一致したことを条件に、前記走査光出射手段から自動視準装置を備えた測量機に向けて走査光を出射し、前記自動視準装置を備えた測量機で前記軸状部材を自動視準して、前記測点における高さを測量する構成とした。
【００２４】
（作用）測点における高さを測量するに際して、測量用表示器が装着された軸状部材の軸方向一端側を測点に設置し、測点における軸状部材の傾きが表示画面上の指定の値に一致するように、軸状部材の傾きを調整するだけで測量を行うことができるので、軸状部材を測点に設置するための設置作業を容易に行なうことができる。
【発明の効果】
【００２５】
以上説明したことから明らかなように、請求項１に係る測量用表示器によれば、軸状部材を測点に設置するための設置作業を容易に行なうことができる。
【００２６】
請求項２によれば、軸状部材を測点に設置するための設置作業を容易に行なうことができる。
【００２７】
請求項３によれば、測量作業を迅速に行うことが可能になる。
【００２８】
請求項４によれば、夜間でも軸状部材の設置作業を容易に行うことができる。
【００２９】
請求項５によれば、軸状部材の設置完了を測量機側の作業者に知らせたり、自動測量が可能な測量機に対して、設置完了信号によって自動測量を開始させることができる。
【００３０】
請求項６によれば、測量機を測量用表示器の方向に自動視準させることができる。
【００３１】
請求項７によれば、軸状部材を測点に設置するための設置作業を容易に行なうことができる。
【００３２】
請求項８によれば、軸状部材を測点に設置するための設置作業を容易に行なうことができる。
【発明を実施するための最良の形態】
【００３３】
次に、本発明の実施の形態を実施例に基づいて説明する。図１は、本発明の一実施例を示す測量用表示器のブッロク構成図、図２は、測量用表示器を標尺に装着したときの一実施例を示す斜視図、図３は、測量用表示器を標尺に設置したときの他の実施例を示す斜視図、図４は、測量用表示器と測量機との間における通信方法を説明するための図、図５は、傾斜地における測量方法を説明するための図、図６は、階段における測量方法を説明するための図である。
【００３４】
これらの図において、測量用表示器１２は、箱型形状に形成された表示器本体を備えており、測量用表示器１２の背面側には、例えば、アルミ製板材を用いて略矩形形状に形成されたバンド１４が固着されている。バンド１４は、標尺１６に着脱自在に装着されている。標尺１６には目盛り等が印刷されており、この標尺１６は、電子レベル（デジタルレベル）１８の照射対象または測量機４３の視準対象となる軸状部材として構成されている。
【００３５】
測量用表示器１２の表面側には、表示ユニット２０、円形気泡管２２、電源スイッチ２４、モード切替スイッチ２６、角度設定ボタン２８が設けられており、測量用表示器１２には、ＣＰＵ３０、電源３２、傾斜センサ３４、ブザー３６、送受信器３８等が内蔵されている。なお、送受信器３８は、図４に示すように、標尺１６を間にして、表示ユニット２０の背面側に配置して測量用表示器１２に連結することもできる。
【００３６】
表示ユニット２０、例えば、複数の液晶素子と、各液晶素子を駆動するための駆動回路などを用いて構成されており、表示画面上に各種の情報を表示する表示手段として構成されている。円形気泡管２２は、標尺１６の横方向の傾き、即ち標尺１６の長手方向と交差する横方向の傾きを検出するようになっている。電源３２は、例えば、乾電池、二次電池、太陽電池のいずれかを用いて構成されており、電源スイッチ２４が投入されたときに、電源３２に蓄積されたエネルギー（電力）が各部に供給されるようになっている。
【００３７】
傾斜センサ３４は、基準面、例えば、水平面に対する標尺１６の傾斜角を検出し、検出結果をＣＰＵ３０に出力するようになっている。ＣＰＵ３０は、傾斜センサ３４からの信号や送受信器３８からの信号を取込み、取込んだ信号に従った演算を実行する演算手段として構成されており、演算結果を表示ユニット２０の表示画面上に表示させるようになっている。
【００３８】
この場合、ＣＰＵ３０は、モードに従って各種の演算を行なうようになっており、本実施例では３つのモードが設けられている。即ち、モード切替スイッチ２６を操作することで、鉛直を基準にした鉛直角を表示するための鉛直角表示モード、鉛直を基準にした任意の角度を表示するための任意角表示モード、残差を表示するため残差表示モードが設定されるようになっている。鉛直とは重力方向すなわち水平方向に対して９０°天頂に向けた方向をいう。
【００３９】
モード切替スイッチ２６の操作により、鉛直角表示モードが選択されたときには、ＣＰＵ３０からの指令に従って表示ユニット２０の表示画面上には鉛直角（天頂方向０°として表わせる角）が表示され、任意角表示モードが選択されたときには、傾斜センサ３４の検出による傾斜角が表示ユニット２０の表示画面上に表示されるようになっている。また、残差表示モードが選択されたときには、角度設定ボタン２８の操作による設定値（設計値）または予め設定された設定値と傾斜センサ３４の計測による実測値との差が残差としてＣＰＵ３０で演算され、この演算結果が表示ユニット２０の表示画面上に表示されるようになっている。
【００４０】
また、送受信器３８は電子レベル１８または測量機４３と光信号又は電気信号を用いて信号の送受信を行なう送受信手段として構成されている。例えば、傾斜センサ３４の検出結果（検出角度）が設定値に保持され、標尺１６の傾きが一定時間以上、指定の値に保持されていることがＣＰＵ３０によって判定されたことを条件に、この判定結果に従って設置完了信号を電子レベル１８または測量機４３に送信する送信手段を構成するようになっている。また、送受信器３８は、電子レベル１８からの信号、例えば、測量完了信号を受信する受信手段として構成されている。送受信器３８が電子レベル１８または測量機４３から測量完了信号を受信したときには、ブザー３６が駆動するようになっている。この場合、ブザー３６は、測量完了を報知する報知手段を構成することになる。さらに、送受信器３８は、測量機４３に対して走査光（ガイド光）を出射する走査光（ガイド光）出射手段として構成されている。
【００４１】
また、ＣＰＵ３０は、傾斜センサ３４の検出出力を監視し、傾斜センサ３４の検出による傾斜角が指定の角度にあるときに、ランプを点灯させたり、ブザー３６とは異なる他のブザーを駆動したりすることもでき、逆に、傾斜センサ３４の検出による傾斜角が指定の角度から外れたときに、ランプを点灯させたり、ブザー３６とは異なる他のブザーを駆動したりする構成を採用することもできる。
【００４２】
また、測量用表示器１２とバンド１４との間に測量用表示器１２を回転自在に保持する連結具４０を取り付け、測量用表示器１２を標尺１６に回転自在に装着することもできる（図３参照）。
【００４３】
次に、上記構成による測量用表示器１０を用いて測量を行なうに際しては、例えば、図５に示すように、傾斜地４２の施工を管理するに際して、傾斜地４２の傾斜角がγ’に設定されている場合、傾斜地４２の上部側に隣接した平坦地のうち傾斜地４２上に設置される標尺１６を望遠鏡４４で視準できる位置に測量機４３を設置し、測量機４３の望遠鏡４４を、鉛直軸を基準にして角度θだけ回転させて、望遠鏡４４の水平面からの傾斜角γと角度θとの関係を、傾斜角γ＝θ−９０に設定し、望遠鏡４４の角度を傾斜角γに合わせて固定し、可視のレーザ光を鉛直下面方向に出力させる。このとき，測量用表示器１０におけるモードを任意の角度を表示する任意角度表示モードに設定するとともに、角度設定ボタン２８を操作して、例えば、傾斜角γ’がγ’＝１５度の勾配を有する傾斜地４２のときには、傾斜角γ＝１５度（γ’＝γ）に設定する。このあと、作業者は、傾斜地４２の測点Ａに標尺１６の軸方向一端側を設置し、測点Ａにおける標尺１６の傾きを調整する。このとき傾斜センサ３４の検出による傾斜角γ＝１５度となるように、すなわち、表示ユニット２０の表示画面上に表示される傾斜角の値が１５度に一致するように、標尺１６の傾きを調整し、測点Ａにおける標尺１６の傾きが表示ユニット２０の表示画面上の値である１５度に一致したときには、その状態を測点Ａにおける測量が完了するまで保持する。
【００４４】
このとき、標尺１６の傾斜角が１５度になったことが一定時間以上保持されたことを条件に、送受信器３８から設置完了信号としての光信号を送出すると、光信号を受信した測量機４３により、標尺１６に対する測量が自動的に開始され、測点Ａにおける傾斜角１５度に対する距離が測定される。
【００４５】
一方、測量機４３が自動視準装置を備えたもので構成されているときは、標尺１６の傾斜角が１５度になったとき、送受信器３８を測量機４３に向けて走査光を出射すると、測量機４３が走査光の方向に自動視準を行い、望遠鏡４４の角度が自動視準による角度に調整され、望遠鏡４４が標尺１６を自動的に視準する。次に、測量機４３は、標尺１６を視準対象として測距・測角を行い、測距・測角結果を表示ユニット２０に表示させる。このとき、測点Ａの前に測定した測点に関する測量結果があるときには、両者の測点に関する測量結果を比較演算し、この演算結果を±の高さで表示ユニット２０に表示させる（傾斜角１５度に対する凸凹）。
【００４６】
測点Ａにおける測量が完了すると、測量機４３から測量用表示器１０に対して測量完了信号が送信され、測量用表示器１０の送受信器３８が測量完了信号を受信するとブザー３６が動作する。これにより、標尺１６を保持した作業者は、測点Ａにおける測量が完了したことを認識することができ、標尺１６を次の測点、例えば、測点Ｂまで迅速に移動させることができる。標尺１６を保持した作業者が次の測点Ｂまで移動したときには、作業者は、可視レーザ光の位置に合わせて傾斜地４２の測点Ｂに標尺１６の軸方向一端側を設置し、測点Ｂにおける標尺１６の傾きを調整する。このとき傾斜センサ３４の検出による傾斜角γ＝１５度となるように、すなわち、表示ユニット２０の表示画面上に表示される傾斜角の値が１５度に一致するように、標尺１６の傾きを調整し、測点Ｂにおける標尺１６の傾きが表示ユニット２０の表示画面上の値である１５度に一致したときには、その状態を測点Ｂにおける測量が完了するまで保持する。
【００４７】
このとき、標尺１６の傾斜角が１５度になったことが一定時間以上保持されたことを条件に、送受信器３８から設置完了信号としての光信号を送出すると、光信号を受信した測量機４３により、標尺１６に対する測量が自動的に開始され、測点Ｂにおける傾斜角１５度に対する凸凹の高さが測定される。以下、標尺１６を測点Ｃ、Ｄに順次移動し、標尺１６を測点Ａ、Ｂに移動したときと同様の操作を行うことで、測点Ｃ、Ｄにおける傾斜角１５度に対する凸凹の高さが測定される。
【００４８】
４つの測点Ａ、Ｂ、Ｃ、Ｄに関する測量が終了したあとは、測量機４３を平坦地に沿って水平方向に移動させて他の設置点に設置する。測量機４３を他の設置点に設置したあとは、他の設置点を基準にして、傾斜地４２に４つの測点Ａ、Ｂ、Ｃ、Ｄを設定し、再び、４つの測点Ａ、Ｂ、Ｃ、Ｄについて、前述した方法と同様の方法で測量を行う。各測点Ａ、Ｂ、Ｃ、Ｄに関する測量が終了したあとは、測量機４３を平坦地に沿ってさらに水平方向に移動させて、他の設置点に設置し、以下、同様に、４つの測点Ａ、Ｂ、Ｃ、Ｄについて、前述した方法と同様の方法で測量を行う。
【００４９】
このような測量を傾斜地４２における複数の測点Ａ、Ｂ、Ｃ、Ｄについて行なうことで、傾斜地４２における傾斜角γ´の管理を行なうことができる。すなわち、傾斜地４２における複数の測点Ａ、Ｂ、Ｃ、Ｄにおいて、望遠鏡４４で標尺１６を視準したときに、標尺１６上における高さが常に同一であるときには、設計による傾斜角γと施工による傾斜角γ´との差が０になるため、正しい施工が行われたとして、傾斜地４２の施工を管理することができる。
【００５０】
一方、複数の測点Ａ、Ｂ、Ｃ、Ｄのいずれかの測点において、他の測点における高さと異なる測量結果が得られたときには、高さの差に応じてその測点とその周囲の土地を掘削したり、あるいは土を盛ったりすることで、傾斜地４２の傾斜角γ’を設計で定められた傾斜角γとすることができる。
【００５１】
また、図６に示すように、階段４８の施工を管理する場合、例えば、階段４８の勾配が１５度に設定されているときには、標尺１６の軸方向一端側を各階段４８の端部に設置し、モードを任意角表示モードとし、標尺１６の傾きが１５度となるように、すなわち、表示ユニット２０の表示画面の値が１５度を示すように、可視レーザ光に合わせて標尺１６の傾きを調整し、階段の設置点からの高さを測定して施工通りかどうかを確認する。
【００５２】
本実施例によれば、測点Ａ、Ｂ、Ｃ、Ｄにおける高さを測量するに際して、標尺１６の軸方向一端側を測点Ａ、Ｂ、Ｃ、Ｄに設置し、測点Ａ、Ｂ、Ｃ、Ｄにおける標尺１６の傾きが表示ユニット２０の表示画面上の指定の値に一致するように、標尺１６の傾きを調整するだけで測量を行うことができるので、標尺１６を測点Ａ、Ｂ、Ｃ、Ｄに設置するための設置作業を容易に行なうことができる。
【００５３】
本実施例によれば、標尺１６を用いて、傾斜地４２や階段４８の施工を管理するに際して、標尺１６を鉛直方向に立てる必要がなく、標尺１６を水平面を基準にして、指定の角度、例えば、１５度に傾斜させればよいため、標尺１６として短いものでも、傾斜地４２や階段４８の施工を管理することができる。
【００５４】
また、本実施例においては、バックライト機能として、表示ユニット２０の表示画面を表示する表示手段としてのランプ（図示せず）を設け、このランプを点灯することで、夜間でも作業を容易に行なうことができる。
【００５５】
本実施例においては、標尺１６を任意の角度、例えば、１５度に傾斜する場合について述べたが、モード切替スイッチ２６でモードを切替えることで、モードに応じた値が表示ユニット２０の画面上に表示されるため、標尺１６の鉛直方向に立てたり、標尺１６を指定の残差に合わせて立てたりする設置作業も容易に行うことができる。
【００５６】
また、本実施例においては、標尺１６が指定の角度に傾いている間、ランプを点灯させたり、ブザーを駆動したりすることで、測量機４３の方向を見ながら標尺１６を設置するための設置作業を行なったり、表示ユニット２０の表示画面を見ることなく、標尺１６を設置するための設置作業を行なったりすることができ、設置作業をより容易に行うことが可能になる。
【図面の簡単な説明】
【００５７】
【図１】本発明の一実施例を示す測量用表示器のブッロク構成図である。
【図２】測量用表示器を標尺に装着したときの一実施例を示す斜視図である。
【図３】測量用表示器を標尺に設置したときの他の実施例を示す斜視図である。
【図４】測量用表示器と測量機との間における通信方法を説明するための図である。
【図５】傾斜地における測量方法を説明するための図である。
【図６】階段における測量方法を説明するための図である。
【図７】従来の水準測量方法を説明するための図である。
【図８】階段における従来の測量方法を説明するための図である。
【図９】傾斜地における従来の測量方法を説明するための図である。
【符号の説明】
【００５８】
１２  測量用表示器
１４  バンド
１６  標尺
１８  電子レベル（自動補正機能なし）
２０  表示ユニット
３０  ＣＰＵ
３４  傾斜センサ
３６  ブザー
３８  送受信器
４２  傾斜地
４３  測量機
４４  望遠鏡
４８  階段
Ａ、Ｂ、Ｃ、Ｄ  測点
【図１】
2006126102.tif 000003
【図２】
2006126102.tif 000004
【図３】
2006126102.tif 000005
【図４】
2006126102.tif 000006
【図５】
2006126102.tif 000007
【図６】
2006126102.tif 000008
【図７】
2006126102.tif 000009
【図８】
2006126102.tif 000010
【図９】
2006126102.tif 000011